(57)【要約】【課題】  下桟の取付けが嵌着構造により容易に取り付けることができ、また、手摺支柱と手摺支柱との間の寸法が下桟の寸法に限定されなくそのスパンの調整が可能であり、さらに、縦桟の間隔で同じタイプの格子ユニットの使用も可能となる軽金属製手摺を提供する。【解決手段】  手摺支柱の上端に架設される笠木に、手摺支柱の位置に対して室内外いずれかの方向へ突出する張出部を設けるとともに、目板で封じられる下面開口の蟻溝形にその張出部を形成し、手摺支柱の下端部に、手摺支柱の位置から外れる張出部の真下の位置において下桟をその溝構造により長手方向にスライド調整可能に架設し、張出部の開口に嵌着される目板と下桟との幅中央にそれぞれパネル又は格子ユニットが嵌まる嵌着溝を設けた。【選択図】    図１
2006200164.tif 000002
【特許請求の範囲】
【請求項１】
手摺支柱の上端に架設される笠木に、手摺支柱の位置に対して室内外いずれかの方向へ突出する張出部を設けるとともに、目板で封じられる下面開口の蟻溝形にその張出部を形成し、手摺支柱の下端部に、手摺支柱の位置から外れる張出部の真下の位置において下桟をその溝構造により長手方向にスライド調整可能に架設し、張出部の開口に嵌着される目板と下桟との幅中央にそれぞれパネル又は格子ユニットが嵌まる嵌着溝を設けたことを特徴とする軽金属製手摺。
【請求項２】
手摺支柱に下桟を長手方向にスライド調整可能に架設する構造について、下桟を逆チャンネル形に形成するとともに、その開口両側内面に係合爪を突設し、両係合爪を挟む上板と下板とからなりボルトとナットで締め付けるようにした連結金物と、それを手摺支柱に支持する腕金物とを装備し、上板の幅中央にそのナットが回転不能に嵌まる凹溝を設け、凹溝の位置において上板と下板に複数のボルトの通し孔を設けたことを特徴とする請求項１記載の軽金属製手摺。
【請求項３】
手摺支柱に下桟を長手方向にスライド調整可能に架設する構造について、下桟に手摺支柱に対面して開口する蟻溝を設け、手摺支柱には蟻溝に沿って該支柱の両横へ突出する固定板をねじ止めし、固定板の突出した両端部に、蟻溝に頭部を係合させたボルトを貫通させてナットで締め付けたことを特徴とする請求項１記載の軽金属製手摺。
【発明の詳細な説明】
【技術分野】
【０００１】
この発明は、バルコニーや屋上等に設置されるアルミ等の押山形材からなる軽金属製手摺に関する。
【背景技術】
【０００２】
軽金属製手摺は、バルコニー等の床部の端に形成される突縁部に立設され、その構造については、手摺支柱の上端に手摺部材としての笠木をのせて架設し、手摺支柱と手摺支柱との間に下桟を挟んで架設したもので、笠木と下桟との間に縦桟が列設され、或いは、ガラスやプラスチック等のパネルが嵌め込まれる。手摺支柱に対する笠木の連結については、手摺支柱の上端に目板をビス止めし、目板に笠木が嵌着されていたのでスライド調整が可能であった。しかし、下桟の連結については、手摺支柱との間にＬ字型の連結金物を介在させ、それを双方にビス止めし下桟が直接手摺支柱に固定されていたので、特に重量があるときは取付けが容易ではなく、しかも、下桟の長さにより手摺支柱と手摺支柱との間のスパンが規制され、これが手摺支柱の立設位置との関係で問題があった。
【０００３】
現場において、手摺支柱を立設するためには、突縁部にアンカーを埋設し、アンカーを固定の基礎として立設した支柱心材に手摺支柱が差し込まれる。アンカーには多くの場合ボルトが使用されるが、それを突縁部に埋設するために、突縁部に差込孔が穿設され、差込孔に接着剤を充填してボルトが固定される。従来は上記のように、手摺支柱間のスパンが規制されていたから、このアンカーボルトの位置に正確性が求められるが、差込孔を明けた位置の誤差により手摺の設置が困難となることがあった。
【０００４】
また、現場によって建物の設計が異なることから、手摺支柱と手摺支柱との間の寸法も区々となるが、この支柱間スパンの調整ができないことから、手摺を規格化ないしユニット化することの妨げとなっており、規格の手摺ユニットを使用できないときには、所謂オーダーメイドによりコスト高となるという問題があった。なお、格子の手摺では、体裁上格子の何れかの縦桟が手摺支柱に沿うように設定される。
【発明の開示】
【発明が解決しようとする課題】
【０００５】
この発明は、上記のような実情に鑑みて、下桟の取付けが嵌着構造により容易に取り付けることができ、また、手摺支柱と手摺支柱との間の寸法が下桟の寸法に限定されなくそのスパンの調整が可能であり、さらに、縦桟の間隔で同じタイプの格子ユニットの使用も可能となる軽金属製手摺を提供することを課題とした。
【課題を解決するための手段】
【０００６】
この発明は、上記のような実情に鑑みて、手摺支柱の上端に架設される笠木に、手摺支柱の位置に対して室内外いずれかの方向へ突出する張出部を設けるとともに、目板で封じられる下面開口の蟻溝形にその張出部を形成し、手摺支柱の下端部に、手摺支柱の位置から外れる張出部の真下の位置において下桟をその溝構造により長手方向にスライド調整可能に架設し、張出部の開口に嵌着される目板と下桟との幅中央にそれぞれパネル又は格子ユニットが嵌まる嵌着溝を設けたことを特徴とする軽金属製手摺を提供する。
【０００７】
軽金属製手摺を上記のように構成したから、手摺を組み立てるときには、まず、手摺支柱の上端に笠木を固着するが、これは従来からボルトやビス等で、或いは別途目板により自由な位置に固着できるようになし得る。しかし、この発明では、下桟も自由な位置に固定できるスライド調整可能であるので、手摺支柱と手摺支柱との間のスパンの調整が可能である。また、下桟が溝構造により容易に取り付けることができ、また、パネルや格子ユニットの装着については、それらの下端がこのスライド調整可能な下桟に取り付けられ、上端が笠木の張出部に嵌着される目板に取り付けられるので、自由な位置に調整してその装着をなすことができる。
【発明の効果】
【０００８】
以上説明したように、この発明の軽金属製手摺によれば、溝構造としての嵌合構造により、組立てを始めパネルや格子ユニットの装着がなされる部分が多いために、組立ての作業性を向上させ得ることはもちろん、手摺支柱間のスパンの調整が可能であるため、仮に現場において手摺支柱を立てるアンカー等の位置に誤差があったり、設計が特異であったりしてもそれに自由に対応でき、また、格子ユニットを自由な位置に調整できるため、現場の状況にかかわらず、それを手摺支柱との関係で適切に組み合わせることができるという優れた効果がある。
【０００９】
また、請求項２および３に記載の如く構成すれば、溝構造により下桟のスライド調整や、手摺支柱間のスパンの調整が容易になし得る。
【発明を実施するための最良の形態】
【００１０】
次に、この発明の実施形態を図面に基づいて説明する。
【００１１】
図１ないし図４は一実施形態を示したもので、その軽金属製手摺は、バルコニーの床部１の先に立設されるコンクリートの突縁部３に手摺支柱５，５，・・を立設し、その上端に笠木７を架設し、下端部には下桟９を架設し、笠木７と下桟９との間に縦付子１１，１１，・・が手摺支柱５に添えて列設される。
【００１２】
笠木７は、手摺支柱５の真上の本体部分が中空ではあるが、下面開口のチャンネル形の張出部１３が室外側に突設され、また、室内側には手摺支柱５に掛かる掛止縁部１５が突設され、掛止縁部１５には手摺支柱５の側面に掛かる面に蟻溝１７が開口される。そして、手摺支柱５の上端に貫通されるボルト１９の頭部を蟻溝１７に嵌め、室内側においてナット２１で締めつけることにより笠木７が固定されている。また、張出部１３のチャンネル形の口には両側に逆止爪２３，２４が突設され、その口に目板２５がその被逆止爪２７，２８による結合により嵌着される。
【００１３】
目板２５と下桟９には相対向する上下面の幅中央にガラスやプラスチック等のパネル３１の嵌着溝３３，３４が設けらている。また、手摺支柱５の位置において縦付子１１，１１，・・が立設されるが、縦付子１１の両側面にも嵌着溝３５，３５が設けられおり、しがたって、パネル３１は周囲が嵌着溝３３，３４，３５，３５に嵌まり込んで固定される。
【００１４】
縦付子１１は、左右パネル３１，３１の結合部材でもあるので、強度的な面から手摺支柱５の位置に立設されるが（図３）、同じく強度的安定性を確保するために下桟９，９どうしが手摺支柱５の位置において突き合わせることにより連結され、それには連結金物３７が用いられる。また、この場合、連結金物３７が手摺支柱５の位置に設けられるので、手摺支柱５により支持されるように、腕金物３９が連結金物３７と組として用いられる。
【００１５】
下桟９は、これも逆チャンネル形であって、幅中央に前記した嵌着溝３４を有する。また、下面開口両側には係合爪４１，４１が突設される。また、縦付子１１は、前後中空部４１ａ，４１ａが中壁４１ｂによって連結されることにより、前記した嵌着溝３５，３５が両面に形成されている。また、中空部４１ａ，４１ａには、ぞれぞれビスポケット４３，４３が一対ずつ形成されており、ビス４５により笠木７の目板２５と下桟９とに連結される。
【００１６】
連結金物３７は、下桟９において係合爪４１，４１を挟む上板４７と下板４９と、それを結合する３本のボルト５１，５１，５１およびナット５２，５２，５２からなるもので、そのうち、上板４７には幅中央にナット５２が回転不能に嵌まる凹溝５３が形成され、両側に係合爪４１，４１に掛かる爪部５５，５５が形成される。また、凹溝５３とその下の下板４９にはボルト５１の通し孔５７，５７，５７が穿設される。そこで、付き合う両下桟９，９を連結するときには、両方に半々ずつ納めて（図４参照）、ボルト５１とナット５２により締め付ける。
【００１７】
腕金物３９は、帯板をプレス成形したもので、手摺支柱５との接合部３９ａと下板４９との接合部３９ｂとの間が傾斜する屈折形状であって、基部の接合部３９ａには手摺支柱５にビス５９で止めるための通し孔６１が設けられているが、先の接合部３９ｂには前記した中央のボルト５１の通し孔５８が形成される。つまり、連結金物３７の３本のうちの１本のボルト５１が腕金物３９の結合に兼用される。
【００１８】
手摺支柱５の立て方としては、突縁部３に芯支柱６３を差し立てる縦穴６５が設けられており、そこに接着剤６７を流し込み、こうして固定された芯支柱６３に手摺支柱５が差し込まれる。
【００１９】
以上、笠木７と下桟９、左右縦付子１１，１１に囲まれる中にパネル３１を嵌め込む場合を示したが、図５に示すように、縦桟６６，６６，・・を下桟９と目板２５にビス止めすることもある。なお、同図の場合、下桟９と下桟９との突き合わせ箇所が手摺支柱５から離れた位置となっており、そこにおいて連結金物３７が単独で使用され、手摺支柱５の位置では連結金物３７と腕金物３９とが共に使用される。
【００２０】
また、図６に示すように、上下横付子７１，７１の間に縦桟７０，７０，・・を列設した格子ユニット６８を組み立て、それを目板２５と下桟９と両縦付子１１，１１の嵌着溝３３，３４，３５に嵌めて装着することもできる。
【００２１】
図７ないし図１０は、手摺支柱５，５の間のスパンの調整の仕方が異なる他の実施形態を示したもので、この場合であると、下桟９を矩形の中空体を基本形状として、上面にパネル３１または格子６８を嵌め込む嵌着溝３４を設け、背面にはボルト７７の頭部が納まる蟻溝７３が設けられる。そして、手摺支柱５にねじ止めされた固定板７５にボルト７７，７７とナット７８，７８で止められる。したがって、この場合も、手摺支柱５には自由な位置で下桟９を止めることができる。
【００２２】
また、上端の笠木７についてもそれに蟻溝８０を設け、目板８２に同じようにボルト８４とナット８６により締め付けられているので、笠木７の位置調整も可能である。つまり、両手摺支柱５，５間のスパンの調整が可能である。
【図面の簡単な説明】
【００２３】
【図１】この発明の軽金属製手摺を示す断面図である。
【図２】同軽金属製手摺の要部を示す分解斜視図である。
【図３】図１のＡ−Ａ線矢視の断面図である。
【図４】下桟に対する連結金物の位置の一例を示す斜視図である。
【図５】他の実施形態を示すほゞ図４に対応する斜視図である。
【図６】さらに他の実施形態を示す格子ユニットの正面図である。
【図７】同実施形態における下桟の断面図である。
【図８】図７のＢ−Ｂ線矢視の断面図である。
【図９】同実施形態における手摺の断面図である。
【符号の説明】
【００２４】
５  手摺支柱
７  笠木
９  下桟
１３  張出部
２５  目板
３１  パネル
３３，３４，３５  嵌着溝
３７  連結金物
３９  腕金物
４１  係合爪
４７  上板
４９  下板
５１  ボルト
５２  ナット
５７  通し孔
６８  格子（格子ユニット）
７３  蟻溝
７５  固定板
７７  ボルト
７８  ナット
【図１】
2006200164.tif 000003
【図２】
2006200164.tif 000004
【図３】
2006200164.tif 000005
【図４】
2006200164.tif 000006
【図５】
2006200164.tif 000007
【図６】
2006200164.tif 000008
【図７】
2006200164.tif 000009
【図８】
2006200164.tif 000010
【図９】
2006200164.tif 000011